(57)【要約】  変換可能な兼用器具（１０）は、展開した構成と折り畳んだ構成との間で移動可能なフレーム（１２）と、１つまたは複数の物体を支持するためのフレームに接続される支持手段（２８）と、フレームの第１の端部におけるハンドル手段（１４、１６、１８、２０）と、フレームの第２の端部における車輪手段（２６）と、を有する。フレームが展開した構成のとき、器具は、第１の配向に位置することができ、それによって支持手段は、椅子のための負荷支持体として機能するように適合され、または第２の配向に位置することができ、それによって支持手段は、ねこ車のための負荷支持体として機能するように適合される。フレームが折り畳んだ構成のとき、器具は、搬送用袋（４２）内に保管することができる。【選択図】図３
2014516726.tif 000002
【特許請求の範囲】
【請求項１】
変換可能な兼用器具であって、
（ａ）展開した構成と折り畳んだ構成との間で移動可能なフレームと、
（ｂ）１つまたは複数の物体を支持するための前記フレームに接続する支持手段と、
（ｃ）前記フレームの第１の端部におけるハンドル手段と、
（ｄ）前記フレームの第２の端部における車輪手段と、を備える変換可能な兼用器具において、
前記フレームが前記展開した構成のとき、前記器具は、第１の配向に位置することができ、それによって前記支持手段が椅子のための負荷支持体として機能するように適合され、または前記器具は、第２の配向に位置することができ、それによって前記支持手段がねこ車のための負荷支持体として機能するように適合され、かつ前記フレームが前記折り畳んだ構成のとき、前記器具は、搬送用袋内に保管することができることを特徴とする、変換可能な兼用器具。
【請求項２】
請求項１に記載の器具において、前記支持手段は、前記器具が前記第１の配向のとき、人の重量を快適に支持し、かつ前記器具が前記第２の配向のとき、前記１つまたは複数の物体の重量が押されているときに安定に支持する可撓性かつ耐荷重性の材料を備えることを特徴とする、器具。
【請求項３】
請求項１に記載の器具において、前記車輪手段は、前記器具が前記第１の配向に位置するとき、前記人の胴体を支持するように適合される、前記支持手段の領域の後方に位置付けられる単一の車輪を備えることを特徴とする、器具。
【請求項４】
請求項１に記載の器具において、前記ハンドル手段が、一対の離間したハンドルを備え、それぞれのハンドルが、前記フレームの前記第２の端部の方向に向かって収束するハンドルフレーム部材のそれぞれの端部に位置付けられることを特徴とする、器具。
【請求項５】
請求項４に記載の器具において、前記器具が前記第１の配向に位置するとき、前記ハンドルが地面に係合する足として作用することを特徴とする、器具。
【請求項６】
請求項４に記載の器具において、展開した構成と折り畳んだ構成との間で前記フレームが移動するとき、前記ハンドルフレーム部材が前記フレームの主部に関して枢動可能であることを特徴とする、器具。
【請求項７】
請求項６に記載の器具において、協働するラッチ配設が係止解除した状態にあるとき、前記器具を折り畳んだ構成に折り畳むことができるように、それぞれのハンドルフレーム部材が、枢動ジョイントのそれぞれを中心として下向きに枢動するように適合されることを特徴とする、器具。
【請求項８】
請求項７に記載の器具において、前記ラッチ配設が、前記ハンドルフレーム部材、主本体フレーム部材、および脚フレーム部材の接合部で前記枢動ジョイントと協働し、前記接合部が、ハンドルフレームブラケット、本体フレームブラケット、および脚フレームブラケットを備えることを特徴とする、器具。
【請求項９】
請求項８に記載の器具において、前記ラッチ配設は、前記ハンドルフレームブラケット上に枢動可能に取り付けたラッチレバー、および前記本体フレームブラケット上に固定した止めを備えることを特徴とする、器具。
【請求項１０】
請求項８に記載の器具において、前記枢動ジョイントが、前記ブラケットのそれぞれに接続され、かつ前記ラッチ配設が係止解除した状態のときに前記ブラケットが相互に対して枢動することができるようにし、それによって前記ハンドルフレーム部材、主本体フレーム部材、および脚フレーム部材の前記接合部で前記ブラケットの平面状の表面が整列し、かつ相互に当接することを特徴とする、器具。
【発明の詳細な説明】
【技術分野】
【０００１】
本発明は、変換可能な兼用器具に関し、特に屋外の娯楽使用のための椅子とねこ車との間で変換することができる、小型の、可搬式の、折り畳み可能な器具、に関する。
【０００２】
公園でのピクニック、バーベキュー、およびスポーツ観戦イベントなどの屋外の娯楽使用のための変換可能な兼用器具を参照して、本発明の背景技術、目的および好ましい実施形態が以下に記載されるが、本発明がこれらに限定されず、より広い用途を有することが理解される。例えば、変換可能な兼用器具は、屋内の目的（例えば、家庭内）で、または商用の目的（例えば、マーケットの屋台で）で使用されてもよい。
【０００３】
本明細書で使用される用語は、説明の目的のみであって、限定とは見なされるべきではないことが理解される。例えば、用語「備える（ｃｏｍｐｒｉｓｉｎｇ）」または「備える（ｃｏｍｐｒｉｓｅｓ）」は、特記しない限り、「含む（ｉｎｃｌｕｄｉｎｇ）」ことを意味することが理解される。また、用語「ねこ車」は、「ねこ車のような」であろうとなかろうと、通常素手で運ぶには重いまたは困難になる物体を押して安定に搬送することができる、任意の車輪が付いた搬送装置を含むことが理解される。
【背景技術】
【０００４】
多くの屋外の娯楽イベントは、人々が自分の食べ物、飲み物、椅子、および楽しみのために考案された他の物品を持ってくることを伴う。しかしながら、かかる物品は、一般的に意図するイベントの現地へ（通常車両から降ろされた後）手で運ばれ、特に、一人の人のみが物品を運ぶ場合、これは労力を要し、時間がかかる可能性がある。椅子の折り畳み可能な性質によって、椅子の搬送を容易にすることができ、かつ飲み物は、ＥＳＫＹ（商標）または他の可搬式のコンテナと一緒に梱包するかまたはその中に組み込んでもよいが、これらの物品は一人の人が２つ運ぶのがせいぜいである可能性がある。食べ物は、特に皿または他の盛り付け用の器具の上に提供される場合、他者が容認できる外見および味の状態を維持する必要があるので、さらに厄介である。
【０００５】
本発明者により、屋外の娯楽使用のために、椅子とねこ車との間で容易に変換することができる、変換可能な兼用器具を提供することによって、これらの問題を克服することができることが見出された。
【０００６】
本発明者により、かかる器具が、通常素手で運ぶには重いまたは困難な物体を、押して、安定に運ぶことができる、小型の、可搬式の、折り畳み可能な、車輪の付いた搬送装置を提供することによって最良に達成することができることも見出された。
【発明の概要】
【０００７】
したがって、本発明の目的は、上述の先行技術の不都合および問題を克服もしくは実質的に改善すること、または少なくとも有用な代替品を供給することである。
【０００８】
本発明者により、本発明のこれらのおよび他の目的が、
（ａ）展開した構成と折り畳んだ構成との間で移動可能なフレームと、
（ｂ）１つまたは複数の物体を支持するためのフレームに接続する支持手段と、
（ｃ）フレームの第１の端部におけるハンドル手段と、
（ｄ）フレームの第２の端部における車輪手段と、を備える変換可能な兼用器具において、
フレームが展開した構成のとき、器具は、第１の配向に位置することができ、それによって支持手段が椅子のための負荷支持体として機能するように適合され、または第２の配向に位置することができ、それによって支持手段がねこ車のための負荷支持体として機能するように適合され、かつフレームが折り畳んだ構成のとき、器具は、搬送用袋内に保管することができる、変換可能な兼用器具を提供することによって一般的に達成される場合があることが見出された。
【０００９】
好ましくは、支持手段は、可撓性かつ耐荷重性の材料を含み、器具が第１の配向のとき、人の重量を快適に支持し、かつ器具が第２の配向のとき、１つまたは複数の物体が押されているときにその重量を安定に支持する。
【００１０】
車輪手段は、支持手段の領域の後方に位置付けられる単一の車輪を含み、器具が第１の配向に位置するとき、人の胴体を支持するように適合されるのが好ましい。
【００１１】
フレームの第２の端部の方向に向かって収束する、ハンドルフレーム部材のそれぞれの端部にそれぞれのハンドルが位置付けられる、一対の離間されたハンドルを含むハンドル手段も好ましい。
【００１２】
好ましい形態では、器具が第１の配向に位置するとき、ハンドルは地面に係合する足として作用する。
【００１３】
ハンドルフレーム部材は、フレームが展開した構成と折り畳んだ構成との間で動くとき、好ましくは、フレームの主部に関して枢動可能である。
【００１４】
概括的ではあるが、上記の通り概説してきたが、以下のその詳細な説明を目的とする発明のより重要な特徴は、より良好に理解することができ、かつ具体的に実行することができ、さらに、当該技術への本貢献の目的は、より良好に理解されるであろう。
【００１５】
以下に記載される、本発明の追加的な特徴がある。このように当業者は、本開示が基づいている概念が、本発明の目的を実行するための他の器具およびプロセスの設計のための基礎として直ちに利用される場合があることを理解するであろう。したがって、上記の本発明の概括的な概説が、本発明の趣旨および範囲から逸脱しない限りにおいて、かかる同等の構築物を含むものと見なされることは重要である。
【００１６】
以下のその詳細な説明に考慮が与えられると、本発明は、より良好に理解され、かつ上記以外の目的が明らかになろう。かかる説明は、添付の図面を参照する。
【図面の簡単な説明】
【００１７】
【図１】図１は、フレームが展開した構成であり、かつ器具が第１の配向に位置し、それによって支持手段は、椅子のための負荷支持体として機能することができ、そのように形成された椅子の上に人がすわっている（概略的に示す）ときの、本発明の好ましい実施形態による変換可能な兼用器具の斜視図である。
【図２】図２は、フレームが展開した構成であり、かつ器具が第２の配向に位置し、それによって支持手段がねこ車のための負荷支持体として機能することができる、そのように形成されたねこ車人が押す（概略的に示す）ときの、図１の変換可能な兼用器具の斜視図である。
【図３】図３は、休止位置にあるそのように形成されたねこ車を示す、図２の器具の斜視図である。
【図４】図４は、図３に示すねこ車のフレーム、ハンドル手段、および車輪手段（しかし支持手段を含まない）のみの斜視図である。
【図５】図５は、図４に示すフレームの部分の、フレームが展開した構成から折り畳んだ構成へと移動するのを防止する係止した状態のラッチ配設を示す拡大斜視図である。
【図６】図６は、図４の斜視図と類似であるが、折り畳んだ構成へと折り畳む第１の状態にあるフレーム、ハンドル手段、および車輪手段を示す斜視図である。
【図７】図７は、図５に示す、しかしフレーム、ハンドル手段、および車輪手段を図６に示す第１の状態に折り畳むことを可能にする係止解除した状態のラッチ配設を示す、フレーム部分の拡大斜視図である。
【図８】図８は、図６の斜視図と類似であるが、折り畳んだ構成へと折り畳む第２の状態にあるフレーム、ハンドル手段、および車輪手段を示す、斜視図である。
【図９】図９は、図８の斜視図と類似であるが、折り畳んだ構成へと折り畳む第３の状態にあるフレーム、ハンドル手段、および車輪手段を示す、斜視図である。
【図１０】図１０は、図９の斜視図と類似であるが、折り畳んだ構成へと折り畳む第３の状態にあるフレーム、ハンドル手段、および車輪手段を示す、斜視図である。
【図１１】図１１は、図１０の斜視図と類似であるが、折り畳んだ構成へと折り畳む第４の状態にあるフレーム、ハンドル手段、および車輪手段を示す、斜視図である。
【図１２】図１２は、図１１の斜視図と類似であるが、折り畳む最終の状態にあり、それによってフレームが折り畳んだ構成にある、フレーム、ハンドル手段、および車輪手段を示す、斜視図である。
【図１３】図１３は、図７に示す、しかしフレームが折り畳んだ構成にあるときの、係止解除したラッチ配設を示す、フレーム部分の拡大斜視図である。
【図１４】図１４は、図１２の斜視図と類似であるが、フレームが折り畳んだ構成にあるときの支持手段を示す斜視図である。
【図１５】図１５は、本発明の好ましい変換可能な兼用器具が、フレームが折り畳んだ構成にあるときにその中に保管される、搬送用袋の斜視図である。
【発明を実施するための形態】
【００１８】
次に、上記で要約された図面を参照して、ここで本発明の理論および概念を実現し、かつ参照番号１０によって一般的に指示される変換可能な兼用器具を説明する。
【００１９】
変換可能な兼用器具１０は、小型で、可搬式で、折り畳み可能であり、かつ屋外の娯楽使用のために椅子とねこ車との間で変換することができる。
【００２０】
器具１０は、展開した構成と折り畳んだ構成との間で移動可能な関節動作するフレーム１２を有する。フレーム１２は、複数の枢動ジョイントによってともに接続する複数のフレーム部材を含む。
【００２１】
フレーム１２が、展開した構成であるとき、その第１の端部に位置付けられるハンドル１８、２０のそれぞれを有する一対の収束しているハンドルフレーム部材１４、１６がある。車輪２６を支持するための一対の主本体フレーム部材２２、２４も、フレームの第２の端部にある。
【００２２】
器具１０が、第１の配向（図１参照）に位置するとき、ハンドル１８、２０は椅子の前側で地面に係合する足として作用し、支持材料２８は、椅子のための負荷支持体として機能することができる。車輪２６は、器具１０が第１の配向に位置するとき、支持材料２８の領域の後方に、人の胴体を支持するように適合されて位置付けられる。一対のより短い脚フレーム部材３０、３２が椅子の後側で地面と係合する。型成形したゴムのスリーブ３４がハンドル１８、２０および地面と係合する脚フレーム部材３０、３２の自由端を覆う。
【００２３】
器具１０が第２の配向に位置するとき（図２、図３、および図４参照）、支持材料２８は、車輪２６が地面および器具１０と係合し、かつ人がハンドル１８、２０を把持することによって押すことができるように、ねこ車のための負荷支持体として機能することができる。車輪２６は、約２００ｍｍの直径を有するが、車輪が岩の多い地面および長い芝生などを含む様々な地形で作動することができるように適合される任意の所望の直径であってもよい。
【００２４】
ハンドルフレーム部材１４、１６は、フレーム１２の主部について枢動可能である。具体的には、それぞれのハンドルフレーム部材１４、１６は、器具１０を折り畳んだ構成に折り畳むことができるように、協働するラッチ配設３８、４０が係止解除した状態のとき、枢動ジョイント３４、３６を中心として下向きに枢動することができる。
【００２５】
支持材料２８は、器具１０が第１の配向のとき、快適に人の重量を支持し、器具１０が第２の配向のとき、１つまたは複数の物体が押されているときにその重量を安定に支持する、可撓性かつ耐荷重性の材料である。これらの物体は、食べ物、飲み物、およびこれらの物体のための容器などの他の物品を含んでもよい。
【００２６】
可撓性かつ耐荷重性の材料２８は、頭部支持および臀部支持領域に緩衝材およびパディングを含んでもよい。
【００２７】
器具１０が第１の配向に位置し、かつ支持材料２８が椅子のための負荷支持体として機能するとき、臀部支持領域は、地上約５００ｍｍである。
【００２８】
器具１０の折り畳みであってそれによってフレーム１２が展開した構成から折り畳んだ構成へと移動する、器具１０の折り畳みは、ここで、ねこ車のフレーム、ハンドル手段、および車輪手段のみ（しかし支持手段を含まない）を示す図４〜図１４を参照してより詳細に記載される。折り畳むプロセスの記載を容易にするために、支持手段はこれらの図面から省略されるが、支持手段は、通常フレームに接続されたままでありかつフレームに沿って折り畳まれることが理解される。
【００２９】
図４に示すフレーム１２の展開した構成は、一対の同一構造で、かつ同一に動作するラッチ配設３８、４０によって係止される。したがって、ラッチ配設４０の動作のみが記載される。ラッチ配設４０は、ハンドルフレーム部材１６、主本体フレーム部材２４および脚フレーム部材３２の接合部で枢動ジョイント３６と協働する。図５に拡大詳細図で示すその接合部には、ハンドルフレームブラケット８０、本体フレームブラケット８２および脚フレームブラケット８４がある。ラッチ配設４０は、ハンドルフレームブラケット８０および本体フレームブラケット８２上に固定された止め８８（図７参照）の上に枢動可能に取り付けた、ラッチレバー８６を備える。ラッチレバー８６をバネ式に取り付けてもよい。枢動ジョイント３６は、ラッチ配設４０が係止解除した状態のときに、ブラケット８０、８２、および８４のそれぞれに接続し、かつブラケットが相互に対して枢動するのを可能にする。ラッチ配設は、レバーラッチ８６の反対側の末端部を上向きに枢動し、かつ止め８８を係脱するように、使用者がレバーラッチ８６の先細端部９０を押し下げることによって、係止解除することができる。
【００３０】
ラッチ配設３８、４０の両方が係止解除した状態のとき、ハンドルフレーム部材１４、１６は、隣接する脚フレーム部材３０、３２のそれぞれに向かって下向きに枢動される。
【００３１】
それぞれのハンドルフレーム部材１４、１６には、ブラケット９２を介して、後側支持フレーム部材５０、５２が枢動可能に取り付けられ、かつそれぞれの主本体フレーム部材２２、２４には、ブラケット９４を介して、前側支持フレーム部材４６、４８が枢動可能に取り付けられる。フレーム部材５０、５２、４６および４８は、図３に示す様式で、ループ状のまたはチューブ状の支持材料２８の形態部に係合するように適合される。また、それぞれのハンドルフレーム部材１４、１６にも、ブラケット９６を介して、スライドフレーム部材５４、５６が枢動可能に取り付けられる。
【００３２】
器具１０の（フレーム１２の第２の端部から見て）左側および右側の構造および動作は、同一なので、器具の右側のフレーム部材の構造および動作のみを記載する。
【００３３】
後側のリンケージフレーム部材６０は、後側支持フレーム部材５２の下端をスライドフレーム部材５６と枢動可能にリンクする。スライドフレーム部材５６の下端は、脚フレーム部材３２に沿って滑動することができるスリーブ９８に枢動可能に取り付けられる。前側リンケージフレーム部材６４は、脚フレーム部材３２に取り付けたスリーブ１００によって、前側支持フレーム部材４８の下端に枢動可能にリンクする。
【００３４】
相互に交差し、かつ器具１０の左側と右側とを相互連結する一対のクロスフレーム部材１０２、１０４がある。クロスフレーム部材１０２は、脚フレーム部材３０に対してその上端を枢動ジョイント３４に枢動可能に取り付け、脚フレーム部材３２に対してその下端を滑動可能なスリーブ９８に枢動可能に取り付ける。クロスフレーム部材１０４は、脚フレーム部材３２に対してその上端を枢動ジョイント３６に枢動可能に取り付け、脚フレーム部材３０に対してその下端を滑動可能なスリーブに枢動可能に取り付ける。クロスフレーム部材１０２、１０４は、それらが互いに交差するところで、枢動ピン１０６によって相互接続される。
【００３５】
ハンドルフレーム部材１６を（ハンドルフレーム部材１４とともに）下向きに枢動すると、上記フレーム部材および枢動ジョイントの配設は、脚フレーム部材３２をスリーブ９８に、スライドフレーム部材５６をともなって滑動して下げさせる。これは、今度は、後側リンケージフレーム部材６０を、後側支持フレーム部材５２を最終的にハンドルフレーム部材１６と整列する方向に枢動させるように動かす。結果的にこの移動の一連（図６、図７、図８および図９参照）は、脚フレーム部材３２、スライドフレーム部材５６、後側支持フレーム部材５２、およびハンドルフレーム部材１６の整列をもたらし、かつ器具１０の左側と右側とを互いにより近くに持ってくるようにする。
【００３６】
図９に示す部分的に折り畳んだ構成は、前側支持フレーム部材４６、４８を隣接した脚フレーム部材３０、３２のそれぞれに向かって枢動することによってさらに折り畳むことができる。図９〜図１４は、この動きの一連を示す。器具１０の右側を参照すると、これは、結果的に、前側支持フレーム部材４８の主本体フレーム部材２４との整列をもたらし、前側リンケージフレーム部材６４の作用のために、これらのフレーム部材４８、２４は、脚フレーム部材３２、スライドフレーム部材５６、後側支持フレーム部材５２、およびハンドルフレーム部材１６と整列する。特に図１３は、ブラケット８０、８２、および８４の配設がどのようであるか、ならびに折り畳んだ構成で、どのように枢動ジョイント３６の位置がフレーム部材の整列を容易にするかを示す。ブラケット８０、８２および８４は、図１３に拡大詳細を示すように、ハンドルフレーム部材１６、主本体フレーム部材２４、および脚フレーム部材３２の接合部において、相互に整列および当接した平面状の表面を有する。
【００３７】
器具１０の展開であってそれによってフレーム１２が折り畳んだ構成から展開した構成へと移動する、器具１０の展開は、概して上記の折り畳む工程の反対であることは、当業者には直ちに明らかであろう。
【００３８】
フレーム１２の折り畳んだ構成により、器具１０は、搬送用袋４２の中に保管することができる（図１５参照）。搬送用袋４２は、ジッパー開口部４４、ポケット４６、および一対の対向するハンドルストラップを含み、かつ長さ（または高さ）約８００ｍｍ〜約９００ｍｍで幅約１５０ｍｍ〜約２６０ｍｍである。
【００３９】
本発明の変換可能な兼用器具が、重量が比較的軽くかつ耐久性のある多くの適切な材料で作製されてもよいことも、当業者には明らかであろう。器具が、飲料カップホルダーまたは傘支持体などの便利な追加的な物品を含んでもよいことも明らかであろう。
【００４０】
上記より、本発明の様々な利点があることもさらに直ちに明らかであろう。
【００４１】
利点の１つは、本発明の変換可能な兼用器具を使用することによって、使用者はもはや物品を屋外の娯楽イベントへと運ぶという、労力を要し、時間がかかる仕事に直面することがないことである。
【００４２】
別の利点は、使用者は、娯楽用のねこ車としての使用の後、椅子として使用できるように単純に器具の配向を配置し直すことができ、またその逆も可能であることである。
【００４３】
またさらなる利点は、器具は、保管および輸送が容易なように、小型で、可搬式で、折り畳み可能であることである。
【００４４】
変換可能な兼用器具の実施形態の設計の詳細および構築について、および上記の器具の折り畳みおよび展開の手順で、本発明の範囲または領域から逸脱することなく、様々な構造的な変更がなされてもよいことも、当業者には直ちに明らかであろう。
【００４５】
任意の先行刊行物（またはこれに由来する情報）、もしくは既知の任意の印刷物への本明細書中の参照は、先行刊行物（またはこれに由来する情報）もしくは任意の既知の印刷物がこの明細書が本特許出願の出願日以前に関連する試みの分野における共通の一般知識の一部を形成する任意の形態の自認、許可または暗示としては受け取られず、かつ受け取られるべきではない。
【図１】
2014516726.tif 000003
【図２】
2014516726.tif 000004
【図３】
2014516726.tif 000005
【図４】
2014516726.tif 000006
【図５】
2014516726.tif 000007
【図６】
2014516726.tif 000008
【図７】
2014516726.tif 000009
【図８】
2014516726.tif 000010
【図９】
2014516726.tif 000011
【図１０】
2014516726.tif 000012
【図１１】
2014516726.tif 000013
【図１２】
2014516726.tif 000014
【図１３】
2014516726.tif 000015
【図１４】
2014516726.tif 000016
【図１５】
2014516726.tif 000017
【国際調査報告】
2014516726.tif 000018
2014516726.tif 000019
2014516726.tif 000020